(57)【要約】【課題】所定のタイミングにおいて狭いフレーム間隔で画像を保存する撮像装置を得る。【解決手段】撮像装置１は、記録タイミング指示信号を発する指示手段１８ｂと、所定間隔でフレーム画像を取得する撮像素子２２と、記録タイミング指示信号の発生時期を含む所定時間内で取得される複数のフレーム画像を記録媒体３０に保存する保存処理手段１１と、記録タイミング指示信号の発生からＡ期間遡った期間および記録タイミング指示信号の発生以後からのＢ期間において取得された画像に基づいて保存する画像のフレーム間隔を、Ａ期間およびＢ期間以外の他の期間において取得された画像に基づいて保存する画像のフレーム間隔より狭くするように、撮像素子２２および保存処理手段１１、１７のうち少なくとも一方を制御する制御手段１１とを備える。【選択図】図１
2010199884.tif 000002
【特許請求の範囲】
【請求項１】
記録タイミング指示信号を発する指示手段と、
所定間隔でフレーム画像を取得する撮像素子と、
前記記録タイミング指示信号の発生時期を含む所定時間内で取得される複数のフレーム画像を記録媒体に保存する保存処理手段と、
前記記録タイミング指示信号の発生からＡ期間遡った期間および前記記録タイミング指示信号の発生以後からのＢ期間において取得された画像に基づいて保存する画像のフレーム間隔を、前記Ａ期間および前記Ｂ期間以外の他の期間において取得された画像に基づいて保存する画像のフレーム間隔より狭くするように、前記撮像素子および前記保存処理手段のうち少なくとも一方を制御する制御手段とを備えることを特徴とする撮像装置。
【請求項２】
請求項１に記載の撮像装置において、
前記撮像素子は一定の間隔でフレーム画像を取得し、
前記一定間隔で取得された複数のフレーム画像を逐次記憶する記憶手段をさらに備え、
前記制御手段は、前記記憶手段に記憶された複数のフレーム画像のうち、前記Ａ期間および前記Ｂ期間以外の他の期間において取得されたフレーム画像を間引いて前記記録媒体に保存するように前記保存処理手段を制御することを特徴とする撮像装置。
【請求項３】
請求項１に記載の撮像装置において、
前記制御手段は、前記Ａ期間および前記Ｂ期間において第１のフレーム間隔でフレーム画像を取得し、前記Ａ期間および前記Ｂ期間以外の他の期間において前記第１のフレーム間隔より広い第２のフレーム間隔でフレーム画像を取得するように前記撮像素子を制御することを特徴とする撮像装置。
【請求項４】
請求項１〜３のいずれか一項に記載の撮像装置において、
前記Ａ期間および前記Ｂ期間はＡ＞Ｂの関係を有することを特徴とする撮像装置。
【請求項５】
請求項１〜４のいずれか一項に記載の撮像装置において、
前記制御手段は、被写体の移動速度に応じて、前記Ａ期間および前記Ｂ期間を合計した期間の長さを異ならせるように制御することを特徴とする撮像装置。
【請求項６】
請求項５に記載の撮像装置において、
前記制御手段は、被写体の移動速度が速いほど、前記合計した期間を長くするように制御し、前記移動速度が遅いほど、前記合計した期間を短くするように制御することを特徴とする撮像装置。
【請求項７】
請求項６に記載の撮像装置において、
前記制御手段は、前記移動速度が遅い場合は、前記Ｂ期間を短くするように制御することを特徴とする撮像装置。
【請求項８】
請求項５〜７のいずれか一項に記載の撮像装置において、
前記記録媒体に保存された複数のフレーム画像のうち、使用者が所望するフレーム画像を使用者自身が指定操作するために操作可能な操作部材からの操作信号によって指定されたフレーム画像が、前記Ａ期間で取得されたフレーム画像に該当する件数と、前記Ｂ期間で取得されたフレーム画像に該当する件数とをそれぞれ計数する計数手段をさらに備え、
前記制御手段は、前記計数手段による計数結果に基づいて、前記Ａ期間および前記Ｂ期間の少なくとも一方の長さを異ならせるように制御することを特徴とする撮像装置。
【発明の詳細な説明】
【技術分野】
【０００１】
本発明は、撮像装置に関する。
【背景技術】
【０００２】
連写撮影された画像を間引いて記録媒体に記録することにより、記録媒体の記録容量を制限する技術が知られている（特許文献１）。
【先行技術文献】
【特許文献】
【０００３】
【特許文献１】特許第３１０３６９９号公報
【発明の概要】
【発明が解決しようとする課題】
【０００４】
従来技術では、広いフレーム間隔で（間引き率を高める）記録する区間と狭いフレーム間隔で（間引き率を下げる）記録する区間の切り換えが記録媒体の空き容量に基づいて行われるので、撮影者が望むタイミングにおいてフレーム間隔を狭く記録させることが困難であった。
【課題を解決するための手段】
【０００５】
本発明による撮像装置は、記録タイミング指示信号を発する指示手段と、所定間隔でフレーム画像を取得する撮像素子と、記録タイミング指示信号の発生時期を含む所定時間内で取得される複数のフレーム画像を記録媒体に保存する保存処理手段と、記録タイミング指示信号の発生からＡ期間遡った期間および記録タイミング指示信号の発生以後からのＢ期間において取得された画像に基づいて保存する画像のフレーム間隔を、Ａ期間およびＢ期間以外の他の期間において取得された画像に基づいて保存する画像のフレーム間隔より狭くするように、撮像素子および保存処理手段のうち少なくとも一方を制御する制御手段とを備えることを特徴とする。
【発明の効果】
【０００６】
本発明による撮像装置によれば、所定のタイミングにおいて狭いフレーム間隔で画像を保存できる。
【図面の簡単な説明】
【０００７】
【図１】本発明の一実施の形態による電子カメラのブロック図である。
【図２】プリキャプチャー撮影モードにおける画像の取得タイミングを説明する図である。
【発明を実施するための形態】
【０００８】
以下、図面を参照して本発明を実施するための形態について説明する。図１は、本発明の一実施の形態による電子カメラ１の要部構成を説明するブロック図である。電子カメラ１は、メインＣＰＵ１１によって制御される。
【０００９】
撮影レンズ２１は、撮像素子２２の撮像面上に被写体像を結像させる。撮像素子２２はＣＣＤイメージセンサまたはＣＭＯＳイメージセンサによって構成され、撮像面上の被写体像を撮像し、撮像信号を撮像回路２３へ出力する。撮像回路２３は、撮像素子２２から出力される光電変換信号に対するアナログ処理（ゲインコントロールなど）を行う他、内蔵するＡ／Ｄ変換回路でアナログ撮像信号をディジタルデータに変換する。
【００１０】
メインＣＰＵ１１は、各ブロックから出力される信号を入力して所定の演算を行い、演算結果に基づく制御信号を各ブロックへ出力する。画像処理回路１２は、たとえばＡＳＩＣとして構成され、撮像回路２３から入力されるディジタル画像信号に対して画像処理を行う。画像処理には、たとえば、輪郭強調や色温度調整（ホワイトバランス調整）処理、画像信号に対するフォーマット変換処理が含まれる。
【００１１】
画像圧縮回路１３は、画像処理回路１２による処理後の画像信号に対して、たとえばJPEG方式で所定の圧縮比率の画像圧縮処理を行う。表示画像作成回路１４は、撮像画像を液晶モニタ１９に表示させるための表示用信号を生成する。
【００１２】
液晶モニタ１９は液晶パネルによって構成され、表示画像作成回路１４から入力される表示用信号に基づいて画像や操作メニュー画面などを表示する。映像出力回路２０は、表示画像作成回路１４から入力される表示用信号に基づいて、画像や操作メニュー画面などを外部の表示装置に表示させるための映像信号を生成して出力する。
【００１３】
バッファメモリ１５は、画像処理前、画像処理後および画像処理途中のデータを一時的に記憶する他、記録媒体３０へ記録する前の画像ファイルを記憶したり、記録媒体３０から読み出した画像ファイルを記憶したりするために使用される。本実施形態では、撮影指示前（レリーズボタンの全押し操作前）に撮像素子２２によって所定のフレームレートで取得するプリキャプチャー画像を一時的に記憶する場合にも使用される。プリキャプチャー画像については後述する。
【００１４】
フラッシュメモリ１６は、メインＣＰＵ１１が実行するプログラムや、メインＣＰＵ１１が行う処理に必要なデータなどが格納される。フラッシュメモリ１６が格納するプログラムやデータの内容は、メインＣＰＵ１１からの指示によって追加、変更が可能に構成されている。
【００１５】
カードインターフェース(I/F)１７はコネクタ（不図示）を有し、該コネクタにメモリカードなどの記憶媒体３０が接続される。カードインターフェース１７は、メインＣＰＵ１１からの指示により、接続された記憶媒体３０に対するデータの書き込みや、記憶媒体３０からのデータの読み込みを行う。記憶媒体３０は、半導体メモリを内蔵したメモリカード、またはハードディスクドライブなどで構成される。
【００１６】
操作部材１８は、電子カメラ１の各種ボタンやスイッチ類を含み、モード切替スイッチの切換操作など、各操作部材の操作内容に応じた操作信号をメインＣＰＵ１１へ出力する。半押しスイッチ１８ａおよび全押しスイッチ１８ｂは、レリーズボタン（不図示）の押下操作に連動して、それぞれがオン信号をメインＣＰＵ１１へ出力する。半押しスイッチ１８ａからのオン信号（半押し操作信号）は、レリーズボタンが通常ストロークの半分程度まで押し下げ操作されると出力され、半ストロークの押し下げ操作解除で出力が解除される。全押しスイッチ１８ｂからのオン信号（全押し操作信号）は、レリーズボタンが通常ストロークまで押し下げ操作されると出力され、通常ストロークの押し下げ操作が解除されると出力が解除される。半押し操作信号は、メインＣＰＵ１１に対して撮影準備の開始を指示する。全押し操作信号は、メインＣＰＵ１１に対して記録用画像の取得開始を指示する。
【００１７】
＜撮影モード＞
電子カメラ１は、上記全押し操作信号に応じて１コマずつ撮影画像を取得して記録媒体３０へ記録する通常の撮影モードと、上記半押し操作信号を受けると高速シャッタ秒時（たとえば１２５分の１秒より高速）の静止画像を１２０フレーム／毎秒（120fps）で連写撮影して複数コマの撮影画像を取得し、上記全押し操作信号を受けると当該全押し操作信号を受けた時点の前後の所定のフレーム画像をそれぞれ記録媒体３０へ記録するプリキャプチャー撮影モードとを有する。各撮影モードは、操作部材１８からの操作信号に応じて切替え可能に構成されている。
【００１８】
＜再生モード＞
再生モードの電子カメラ１は、上記各撮影モードにおいて記録された画像を各コマごとに、あるいは所定数のコマごとに、液晶モニタ１９に再生表示する。
【００１９】
本実施形態は、上記プリキャプチャー撮影モードに特徴を有するので、以下の説明はプリキャプチャー撮影モードを中心に行う。図２は、プリキャプチャー撮影モードにおける画像の取得タイミングを説明する図である。
【００２０】
＜プリキャプチャー撮影＞
図２において、時刻ｔ０に半押し操作信号が入力されると、メインＣＰＵ１１はレリーズ待機処理を開始させる。レリーズ待機処理では、たとえば、１２０フレーム／毎秒(120fps)のフレームレートで被写体像を撮像して露出演算やフォーカス調節を行うとともに、取得した画像データを逐次バッファメモリ１５へ記憶する。
【００２１】
プリキャプチャー撮影のためにバッファメモリ１５を使用するメモリ容量は、あらかじめ所定容量が確保されている。メインＣＰＵ１１は、時刻ｔ０以降にバッファメモリ１５内に記憶したフレーム画像のフレーム枚数が所定枚数に達し、記憶済み容量が上記所定容量を上回る場合には、古いフレーム画像から順に上書き消去する。これにより、プリキャプチャー撮影のために使用するバッファメモリ１５のメモリ容量を所定容量に制限できる。
【００２２】
時刻ｔ１に全押し操作信号が入力されると、メインＣＰＵ１１はレリーズ処理を開始させる。レリーズ処理では、時刻ｔ１以前に撮像したＡ枚のフレーム画像と、時刻ｔ１以降に撮像されるＢ枚のフレーム画像とを関連づけて、記録媒体３０へそれぞれ記録させる。図２においてグレーおよび黒で示した帯は、記録媒体３０へ記録される（Ａ＋Ｂ）枚のフレーム画像が取得される区間を表す。斜線の帯は、バッファメモリ１５に一旦は記憶されたものの、上書き消去されたフレーム画像が取得された区間を表す。
【００２３】
図２の下側に示した分布波形は、複数の撮影者によるレリーズ操作タイミング分布を例示する図である。一般に、狙った瞬間より早めにレリーズ操作する傾向の撮影者がいる一方で、狙った瞬間より遅れてレリーズ操作する傾向の撮影者も存在する。
多くの被験者（撮影者）のデータを集めて検証してみると、狙った瞬間（撮りたい瞬間）よりも実際のレリーズ操作タイミングが遅れてしまう撮影者の場合、狙った瞬間から実操作が遅れる期間（つまり、狙った瞬間から、実際にレリーズ操作（レリーズスイッチのＯＮ）がなされるまでに要した期間）は、狙った瞬間（撮りたい瞬間）から遅れること０．４秒程度までの間であることが多い。
一方、狙った瞬間（撮りたい瞬間）よりも実際のレリーズ操作タイミングが早くなってしまう撮影者の場合、狙った瞬間よりも実操作が早まる期間（つまり、実際にレリーズ操作がなされてから本当に狙った瞬間に至るまでに要した期間）は、狙った瞬間よりも早まること０．３秒までの間であることが多い。
【００２４】
そこで、バッファメモリ１５へ記憶される（Ａ＋Ｂ）枚のフレーム画像のうち、時刻ｔ１以前の０．４秒間（図２において時間Ｃ１）と、時刻ｔ１以後の０．３秒間（図２において時間Ｃ２）とを合わせた０．７秒間（図２において時間Ｃ）に撮像されたフレーム画像群を、当該フレームレート（120fps）のまま記録媒体３０へ記録する。つまり、図２において黒い帯で示した期間に撮像されたフレーム画像群は、バッファメモリ１５に記憶されているものを全て記録媒体３０へ記録する。
【００２５】
また、バッファメモリ１５へ記憶される（Ａ＋Ｂ）枚のフレーム画像のうち、時刻(ｔ１−Ｃ１）以前と、時刻（ｔ１＋Ｃ２）以後とに撮像されたフレーム画像群については、フレームレート（120fps）を下げて記録媒体３０へ記録する。つまり、図２においてグレーの帯で示した期間に撮像されたフレーム画像群は、バッファメモリ１５に記憶されているものを所定の間引き率で間引いて（たとえば、３フレームおき）、記録媒体３０へ記録する。
【００２６】
以上説明した実施形態によれば、以下の作用効果が得られる。
（１）電子カメラ１は、メインＣＰＵ１１と、記録タイミング指示信号を発する全押しスイッチ１８ｂと、所定間隔でフレーム画像を取得する撮像素子２２と、記録タイミング指示信号の発生時期を含む所定時間内で取得される複数のフレーム画像を記録媒体３０に保存するカードインターフェース(I/F)１７とを備え、メインＣＰＵ１１は、記録タイミング指示信号の発生からＡ期間遡った期間および記録タイミング指示信号の発生以後からのＢ期間において取得された画像に基づいて保存する画像のフレーム間隔を、Ａ期間およびＢ期間以外の他の期間において取得された画像に基づいて保存する画像のフレーム間隔より狭くするように、撮像素子２２およびカードインターフェース(I/F)１７のうち少なくとも一方を制御する。これにより、所定のタイミングにおいて狭いフレーム間隔で画像を保存できる。
【００２７】
（２）撮像素子２２は一定の間隔でフレーム画像を取得し、電子カメラ１は一定間隔で取得された複数のフレーム画像を逐次記憶するバッファメモリ１５をさらに備える。この場合のメインＣＰＵ１１は、バッファメモリ１５に記憶された複数のフレーム画像のうち、Ａ期間およびＢ期間以外の他の期間において取得されたフレーム画像を間引いて記録媒体３０に保存するように制御を行う。これにより、記録タイミング指示信号が発生してからでも、該記録タイミング信号から遡った期間を含めた記録フレームレートの制御が行える。
【００２８】
（３）Ａ期間をＢ期間より長くした。上述したように、被験者に基づいてデータを集めると、早めに操作する人の操作タイミングは狙った瞬間から０．３秒前までの間、遅めに操作する人の操作タイミングは狙った瞬間から０．４秒後までの間に含まれる確率が高い。記録タイミング指示信号の前のＡ期間を記録タイミング指示信号の後のＢ期間より長くすることで、狙った瞬間の画像が狭いフレームレートで記録される可能性を高くすることができる。
【００２９】
（変形例１）
上述した実施形態では、バッファメモリ１５に記憶した画像を記録媒体３０へ記録（保存）する際に、レリーズ操作時点を含む前後の所定期間は所定フレームレートで記録し、それ以外の期間の画像は間引いて記録するようにしているが、バッファメモリ１５に記憶（バッファリング）する際は常に所定のフレームレートで記憶するよう構成されている。
【００３０】
この代わりに、変形例１においては、バッファメモリ１５に画像を記憶（バッファリング）する際のフレームレートを変更できるよう構成しておく。具体的には、半押し操作がなされると(時刻ｔ０の時点から)所定フレームレートでバッファメモリ１５へのバッファリングを開始し、その所定フレームレートでのバッファリングを、レリーズ全押し操作がなされてから期間Ｃ２が経過するまで（時刻「ｔ１＋Ｃ２」まで）継続する。その後（「ｔ１＋Ｃ２」以降の時点で）、バッファリングのフレームレートを所定フレームレートよりも低くする（間引きバッファリングする）。そして上記のようにしてバッファメモリ１５にバッファリングされた画像は全て（記録時には間引きをせずに）記録媒体３０へ記録する。
【００３１】
このように変形例１においては、記録時の段階でフレームレートを変えるのではなく、バッファリングの段階でフレームレートを変えておくことにより、結果的に記録媒体３０に記録された（保存された）の画像のフレームレートが変わる。すなわち、レリーズ前後の画像の記録フレームレートは高く、レリーズ後所定期間よりも後の期間（ｔ１時点からさらに期間Ｃ２経過した後の期間）の画像の記録フレームレートは低くなる（間引きされたものとなる）。
更に、通常、使用者はレリーズ半押し操作をしながら合焦状態を確認したり構図を確認した後で、レリーズ全押し操作をする場合が多い。このことから、半押し操作から全押し操作までの待機時間として統計的に求めた時間を、予めカメラ内に「所定待機時間」として記憶させておき、半押し操作時点ｔ０から所定待機時間が経過するまでは所定フレームレートよりも低いフレームレートでバッファリングを行い、その所定待機時間が経過してから所定フレームレートでバッファリングを行うように構成しても良い。
【００３２】
変形例１の場合にも、上記実施形態と同様のフレーム画像群を、必要なタイミングのみ所定の（高速の）フレームレートで記録媒体３０へ記録することができ、同様の作用効果が得られる。
【００３３】
なお、時刻ｔ０から時刻ｔ１までに取得するフレーム画像群のうち、直近の（Ａ＋Ｂ）枚のフレーム画像群がバッファメモリ１５へ記憶されるように古いものから上書き消去する点は、上記実施形態の場合と同様である。
【００３４】
（変形例２）
時間Ｃの値を主要被写体の動きに応じて変化させる構成にしてもよい。具体的には、メインＣＰＵ１１が、フレーム画像のうち主要被写体を含む所定範囲（たとえば画面中央の領域）について、前フレームと当該フレームとの間の対応するデータからフレーム間で共通する被写体の動きベクトル（被写体の動きの速さや方向）を求め、該動きベクトルから被写体のずれ量を算出する。
【００３５】
メインＣＰＵ１１は、ずれ量が所定値より大きい場合に時間Ｃの値を長く変更し、ずれ量が所定値以下の場合には時間Ｃの値を変更しない。被写体の動きが速くなると、狙った瞬間に対してレリーズ操作タイミングを大きく外してしまうことが想定されるので、被写体が動いていない場合と同じ時間Ｃのままでは不都合が生じる。そこで、時間Ｃを延ばすことによって高フレームレートで記録されるフレーム画像数を増やし、レリーズ操作タイミングを狙った瞬間から外してしまった場合でも、狙った瞬間のフレーム画像が記録媒体３０に記録される確率を高めることができる。
【００３６】
なお、メインＣＰＵ１１は、時間Ｃの値を長く変更した後にずれ量が所定値以下に減少した場合には、長く変更した時間Ｃの値を元に戻す。高フレームレートで記録されるフレーム画像数を増やしたままにする場合に比べて、記録媒体３０を使用する容量を少なく抑えることができる。
【００３７】
変形例２において動きベクトルを求める際に、前フレームと当該フレームとの間でフレーム画像の全範囲に対応するデータからフレーム間で共通する被写体の動きベクトルを求めるようにしてもよい。
【００３８】
（変形例３）
ずれ量が大きいことにより時間Ｃの値を長く変更する場合は、専ら時間Ｃ１を長く変更するとよい。被写体の動きが速くなると、レリーズ操作タイミングが狙った瞬間より遅れてしまう確率が高くなると想定される。そこで、時刻ｔ１以前の時間Ｃ１を長くすることにより、全押し操作信号が入力された時刻ｔ１以前に高フレームレートで記録されるフレーム画像数を増やせるので、撮影者の実際のレリーズ操作タイミングが狙った瞬間（撮りたい瞬間）よりも遅れてしまった場合でも、狙った瞬間のフレーム画像が記録媒体３０に記録される確率を高めることができる。
【００３９】
なお、メインＣＰＵ１１は、時間Ｃ１の値を長く変更した後にずれ量が所定値以下に減少した場合には、長く変更した時間Ｃ１の値を元に戻す。高フレームレートで記録されるフレーム画像数を増やしたままにする場合に比べて、記録媒体３０を使用する容量を少なく抑えることができる。
【００４０】
（変形例４）
ずれ量が大きいことにより時間Ｃの値を長く変更する場合に、時間Ｃ１を長く変更するか、あるいは時間Ｃ２を長く変更するかを学習データに基づいて決定するようにしてもよい。この場合のメインＣＰＵ１１は、120fpsで記録されるフレーム画像群のうちベストショット画像が時刻ｔ１以前に取得されたものである件数と、時刻ｔ１以後に取得されたものである件数とをそれぞれ計数する。
【００４１】
ベストショット画像は、たとえば、再生モードにおいて記録媒体３０に記録されている画像をコマごとに液晶モニタ１９に再生表示させた状態で、ユーザーが操作部材１８を操作することによって選ぶ。メインＣＰＵ１１は、ベストショット画像が時刻ｔ１以前に取得されている件数の計数値Ｎ１、およびベストショット画像が時刻ｔ１以後に取得されている件数の計数値Ｎ２の間にＮ１＞Ｎ２が成立するとき、専ら時間Ｃ１を変更対象にする。
【００４２】
一方、メインＣＰＵ１１は、Ｎ１＜Ｎ２が成立するとき、専ら時間Ｃ２を変更対象にする。変形例４によれば、狙った瞬間より早めにレリーズ操作してしまう傾向があるユーザーか、あるいは狙った瞬間より遅れてレリーズ操作してしまう傾向があるユーザーかを判別して、ユーザーの癖に応じて時間Ｃの長さを変更できるので、狙った瞬間のフレーム画像が記録媒体３０に記録される確率を高めることができる。
【００４３】
（変形例５）
以上説明した実施形態および各変形例では、プリキャプチャー撮影のために使用するバッファメモリ１５のメモリ容量を制限する際に、該メモリ容量を時刻ｔ１の前後でそれぞれ取得されるフレーム画像の枚数で表すようにした。この代わりに、メモリ容量で表すようにしてもよい。この場合には、フレーム画像１枚当たりのデータサイズにフレーム画像の枚数を掛け合わせることで、必要なメモリ容量が算出される。
【００４４】
（変形例６）
上述したプリキャプチャー撮影は、動画像を取得するカメラを用いる場合にも、該動画像を記録しながら平行して行わせることができる。この場合は、動画用のフレーム画像の取得と静止画用（プリキャプチャー用）のフレーム画像の取得とを交互に行う。つまり、動画用バッファメモリへ動画用のフレーム画像を記憶したら、次のフレームは静止画用バッファメモリへ静止画用のフレーム画像を記憶する。撮像素子２２が120fpsで撮像する場合、動画用バッファメモリへは60fpsで、静止画用バッファメモリへは60fpsで、それぞれフレーム画像が記憶される。
【００４５】
動画用バッファメモリに記憶された動画用のフレーム画像は、動画像用の記録媒体へ記録（録画）する。静止画用バッファメモリへ記憶された静止画用のフレーム画像は、プリキャプチャー撮影用に用いる。このとき、上述したバッファメモリ１５のメモリ容量を制限するために行ったメモリ制御と同様のメモリ制御を、静止画用バッファメモリのメモリ容量を制限するために行う。
【００４６】
以上の説明はあくまで一例であり、上記の実施形態の構成に何ら限定されるものではない。
【符号の説明】
【００４７】
１…電子カメラ
１１…メインＣＰＵ
１２…画像処理回路
１５…バッファメモリ
１７…カードインターフェース(I/F)
１８…操作部材
１８ａ…半押しスイッチ
１８ｂ…全押しスイッチ
２２…撮像素子
２３…撮像回路
３０…記録媒体
【図１】
2010199884.tif 000003
【図２】
2010199884.tif 000004